(57)【要約】      （修正有）【課題】モータの正回転・逆回転の切り替えと、モータの回転数の調整を、ひとつの操作部で行なうことができるようにしたことで、操作性に優れ且つ使い勝ってのよい電動工具用スイッチを提供する。【解決手段】電動工具用スイッチは、表面に摺動体３７を、裏面に短絡可動接片３６を備え、２極操作するために回動自在な操作部３１の操作に基づいて上下方向に動く短絡速度切替部２１と、前記短絡速度切替部の一方側面にスプリング３３を介在させて上下方向に動くように取付け、裏面に正転接点部を備えた正転切替部２２と、前記短絡速度切替部の他方側面にスプリング３４を介在させて上下方向に動くように取付け、裏面に逆転接点部を備えた逆転切替部２３と、を備える。【選択図】図１
2012196732.tif 000002
【特許請求の範囲】
【請求項１】
表面に摺動体を、裏面に短絡可動接片を備え、２極操作するために回動自在な操作部の操作に基づいて上下方向に動く短絡速度切替部と、
前記短絡速度切替部の一方側面にスプリングを介在させて上下方向に動くように取付け、裏面に正転接点部を備えた正転切替部と、
前記短絡速度切替部の他方側面にスプリングを介在させて上下方向に動くように取付け、裏面に逆転接点部を備えた逆転切替部と、を備え、
前記操作部を正転側の一方に回動させたときに、前記逆転切替部を制止させ、前記正転切替部を動かすことで正転接点部を導通状態にすると共に、前記短絡速度切替部を動かすことで前記摺動体を可変抵抗体上を摺動させ、
更に、操作部を正転側の一方に回動させたときに、前記短絡速度切替部を動かすことで、短絡可動接片を導通状態にすると共に、前記摺動体を電極部に摺動させて短絡状態にし、
一方、前記操作部を逆転側の他方に回動させたときに、前記正転切替部を制止させ、前記逆転切替部を動かすことで逆転接点部を導通状態にすると共に、前記短絡速度切替部を動かすことで前記摺動体を可変抵抗体上を摺動させ、
更に、操作部を逆転側の他方に回動させたときに、前記短絡速度切替部を動かすことで、短絡可動接片を導通状態にすると共に、前記摺動体を電極部に摺動させて短絡状態にすることを特徴とする電動工具用スイッチ。
【発明の詳細な説明】
【技術分野】
【０００１】
本発明は電動工具用スイッチに関し、詳しくは、小型電動工具の操作量に応じてモータの回転速度が調節できる変速スイッチに関する。
【背景技術】
【０００２】
従来技術における第１の例としての電動工具用スイッチは、図１８乃至図２０に示すように、所謂、波型スイッチであり、２つの可動接片上を操作部の左側あるいは右側への押し込みにより２つのオシボを同時に摺動させて接点をオンさせるというものであり、ケース内部に電源を供給するコモン端子１０９及び４つの第１〜第４固定接点１０５、１０６、１０７、１０８を備えたケース１１１と、両端に可動接点１０１、１０２、１０３、１０４を設けた２つの可動接片１１２、１１３と、カバー１１４に設けたロータ収納部１１５にロータ１１６を収容し、そのロータ１１６にシャフト１１７を係合させ、シャフト１１７の他端部をタンク１１８の上部中央位置に係合し、タンク１１８の底部に２つのオシボ１２１、１２２をバネ１２３、１２４を介在させて係合させる構成となっている。
そして、この組み立てたカバー１１４をケース１１１に載せその上部から金属フレーム１２５を取付けてカバー１１４を固定する。そこにロータ収納部１１５に収納されているロータ１１６の凸部１１９に操作部１２６の回動中心係合穴１２７を係合させて操作部１２６を取付ける。
【０００３】
このようにして取付けられた操作部１２６においては、図１８において右側に押し込むことで、ロータ１１６が右回動し、その回動に連られてシャフト１１７を介してタンク１１８が左方向に動くことで、タンク１１８の底部に取付けられている２つのオシボ１２１、１２２が可動接片１１２、１１３の表面上を摺動して左方向に移動することで、シーソー状の可動接片１１２、１１３が左側に倒れることで、第２固定接点１０６と可動接点１０１が接続し、第４固定接点１０８と可動接点１０３が接続する。
反対に操作部１２６を左側方向に押し込むと、ロータ１１６が左回動し、その左回動に連られてシャフト１１７を介してタンク１１８が右方向に動くことで、タンク１１８の底部に取付けられているオシボ１２１、１２２が可動接片１１２、１１３の表面上を摺動して右方向に移動することで、シーソー状の可動接片１１２、１１３が右側に倒れることで、第１固定接点１０５と可動接点１０２が接続し、第３固定接点１０７と可動接点１０４が接続する。
【０００４】
従来技術における第２の例としての電動工具用スイッチは、図２１に示すように、一対の可動接点１４１、１４２を設けたタンク１４５を支点を中心として左右に回動させるように操作部１５１を左右側に押すことにより可動接点１４１、１４２を水平方向に振るようにして固定接点に接触させるものである。
その構成は、側面及び上面を開口としたケース１３５に、左側壁面に第１固定端子１３６を備え、右側壁面に第２固定端子１３７を備え、更に中央位置に上部が線条の谷部となった支点部１３８を備えている。
【０００５】
この支点部１３８に一対の可動接点１４１、１４２を有する可動接片１４３、１４４を備えたタンク１４５を載せるようにして取付ける。
【０００６】
タンク１４５は、四角形状に形成され、頂面にオシボ１５４が動けるように中央位置が谷状に窪んだ摺動面１４６を備え、底面に支点部１３８の谷部に係合するための線条の山部１４７を設け、この山部１４７を挟んだ両側に可動接点１４１、１４２を有する可動接片１４３、１４４を備えた構成となっている。
【０００７】
又、このタンク１４５の上部に設けた摺動面１４６を摺動するための操作部１５１の下部位置に設けた係合部１５２にバネ１５３を介在したオシボ１５４を備えた構成となっている。操作部１５１はオシボ１５４を係合する係合部１５２を支点として左右側のどちらかを押すことでオシボ１５４が左右に動くことでタンク１４５自体が左右に動くことにより可動接片１４３、１４４の可動接点１４１、１４２がどちらかの第１固定端子１３６又は第２固定端子１３７に接続する構成となっている。
【０００８】
そして、ケース１３５にタンク１４５を収納し、そのタンク１４５の上部の摺動面１４６にバネ１５３を介在したオシボ１５４を当接させた操作部１５１の中央位置の回動支点となる中心凸部１５５をカバー１５６の係合孔１５７に係合させ、ケース１３５の係合孔１３９に反対側の中心凸部（図示せず）を係合させてカバー１５６を取付ける。
【０００９】
このようにして組み立てられたスイッチにおいて、表面が波型形状の操作部１５１の右側を押し込むと、操作部１５１が右回動し、オシボ１５４が摺動面１４６を摺動して左方向に動くことでタンク１４５が左回動し、可動接片１４３、１４４が右方向に動き固定接点に接触する。そして、押し込む力を緩めると摺動面１４６の傾斜により操作部１５１が自己復帰する。
同じく反対に波型形状の操作部１５１の左側の端部を押し込むと、操作部１５１が左回動し、オシボ１５４が右方向に動くことでタンク１４５が右回動し、可動接片１４３、１４４が左方向に動き固定接点に接触する。そして、押し込む力を緩めると摺動面１４６の傾斜により操作部１５１が自己復帰する。
【先行技術文献】
【特許文献】
【００１０】
【特許文献１】特開平５−５９５２９号公報
【発明の概要】
【発明が解決しようとする課題】
【００１１】
しかしながら、従来技術で説明した電動工具用スイッチにおいては、基本的に操作部を何れか一方に押すようにしてモータを正転或は逆転させるもので、同一の操作部でこれら正転及び逆転の制御をすること以外の例えば回転を制御することを一つの操作部ではできないという問題がある。
【００１２】
従って、２極のロッカースイッチを使用した時のモータの正回転・逆回転を切り替える操作性と、モータの回転数の調整を行なう操作性を両立させたスイッチを実現することに解決しなければならない課題を有する。
【課題を解決するための手段】
【００１３】
上記課題を解決するために、本願発明の電動工具用スイッチは、次に示す構成にすることである。
【００１４】
電動工具用スイッチは、表面に摺動体を、裏面に短絡可動接片を備え、２極操作するために回動自在な操作部の操作に基づいて上下方向に動く短絡速度切替部と、前記短絡速度切替部の一方側面にスプリングを介在させて上下方向に動くように取付け、裏面に正転可動接片を備えた正転切替部と、前記短絡速度切替部の他方側面にスプリングを介在させて上下方向に動くように取付け、裏面に逆転可動接片を備えた逆転切替部と、を備え、前記操作部を正転側の一方に回動させたときに、前記逆転切替部を制止させ、前記正転切替部を動かすことで正転可動接片を導通状態にすると共に、前記短絡速度切替部を動かすことで前記摺動体を可変抵抗体上を摺動させ、更に、操作部を正転側の一方に回動させたときに、前記短絡速度切替部を動かすことで、短絡可動接片を導通状態にすると共に、前記摺動体を電極部に摺動させて短絡状態にし、一方、前記操作部を逆転側の他方に回動させたときに、前記正転切替部を制止させ、前記逆転切替部を動かすことで逆転可動接片を導通状態にすると共に、前記短絡速度切替部を動かすことで前記摺動体を可変抵抗体上を摺動させ、更に、操作部を逆転側の他方に回動させたときに、前記短絡速度切替部を動かすことで、短絡可動接片を導通状態にすると共に、前記摺動体を電極部に摺動させて短絡状態にすることである。
【発明の効果】
【００１５】
本発明に係る電動工具用スイッチは、モータの正回転・逆回転の切り替えと、モータの回転数の調整を、ひとつの操作部で行なうことができるようにしたことで、操作性に優れ且つ使い勝ってのよいスイッチを提供することができる。
【図面の簡単な説明】
【００１６】
【図１】本願発明に係る電動工具用スイッチを分解して示した全体斜視図である。
【図２】同、可動接片の動きによりモータの正回転及び逆回転を制御する等価回路を示す説明図である。
【図３】同、操作部が中立位置のときの切替部の位置状態を示す説明図である。
【図４】同、操作部が中立位置のときの可動接片の位置状態を示す説明図である。
【図５】同、操作部が中立位置のときの摺動体の位置状態を示す説明図である。
【図６】同、操作部の右側端部が押されたときの切替部の位置状態を示す説明図である。
【図７】同、操作部の右側端部が押されたときの可動接片の位置状態を示す説明図である。
【図８】同、操作部の右側端部が押されたときの摺動体の位置状態を示す説明図である。
【図９】同、操作部の右側端部が更に押されたときの切替部の位置状態を示す説明図である。
【図１０】同、操作部の右側端部が更に押されたときの可動接片の位置状態を示す説明図である。
【図１１】同、操作部の右側端部が更に押されたときの摺動体の位置状態を示す説明図である。
【図１２】同、操作部の左側端部が押されたときの切替部の位置状態を示す説明図である。
【図１３】同、操作部の左側端部が押されたときの可動接片の位置状態を示す説明図である。
【図１４】同、操作部の左側端部が押されたときの摺動体の位置状態を示す説明図である。
【図１５】同、操作部の左側端部が更に押されたときの切替部の位置状態を示す説明図である。
【図１６】同、操作部の左側端部が更に押されたときの可動接片の位置状態を示す説明図である。
【図１７】同、操作部の左側端部が更に押されたときの摺動体の位置状態を示す説明図である。
【図１８】従来技術における第１の例の押しボタンスイッチの全体斜視図である。
【図１９】同、組み立てた様子を示した斜視図である。
【図２０】同、等化回路図である。
【図２１】従来技術における第２の例の押しボタンスイッチの分解斜視図である。
【発明を実施するための最良の形態】
【００１７】
本願発明に係る電動工具用スイッチの実施形態について、図面を参照して説明する。
【００１８】
本発明に係る電動工具用スイッチは、操作部の操作でモータを正回転或は逆回転させると共に操作した状態をそのまま押す等することで回転速度の調整をすることができるようにしたものである。
【００１９】
その構成は、図１乃至図２に示すように、側面が開口に形成され、上部両端に操作部３１の操作で回動レバー部２６、２７の突出した軸部５６を係合する係合穴１８、１９を備えた四角形状に形成されたケース１１と、ケース１１の底部に備えてあるガイド部１２に係合させるようにして配置する導電性部材で形成されたマイナス端子１３、プラス端子１４、コモン端子１５、正転端子１６、逆転端子１７と、配置されたそれぞれの端子の接触面に短絡可動接片３６を接触させて配置する短絡速度切替部２１と、正転可動接片３９を端子の接触面に接触させて配置する正転切替部２２と、逆転可動接片４２を端子の接触面に接触させて配置する逆転切替部２３と、裏面に印刷抵抗２４が施され、その印刷抵抗２４上を短絡速度切替部２１に配置されている摺動体３７で摺動させるように配置した基板２５と、ケース１１の上部位置の両側端に備えた正転回動レバー部２６及び逆転回動レバー部２７と、正転回動レバー部２６及び逆転回動レバー部２７を操作する２極に回動する波型形状の操作部３１と、基板２５の上部からカバーするためのカバー３２と、から大略構成されている。
【００２０】
短絡速度切替部２１は、上部端にＴ字型形状のレバーガイド片２８を設け、正転切替部２２と復帰スプリング３３を介在させて組み合わされ、同じく逆転切替部２３と復帰スプリング３４を介在させて組み合わされており、背面の下側位置にスプリング３５を介在させて短絡可動接片３６を収納し、前面側に基板２５の印刷抵抗２４に摺動する摺動体３７を取付けた構成になっている。
【００２１】
正転切替部２２は、背面の下側位置にスプリング３８を介在させて正転接点部である正転可動接片３９を取付けた構成になっている。
【００２２】
逆転切替部２３は、背面の下側位置にスプリング４１を介在させて逆転接点部である逆転可動接片４２を取付けた構成になっている。
【００２３】
マイナス端子１３は、ケース１１の側壁面に取り付けられるもので帯状に形成した先端部を直角方向に折り曲げて延出し、さらにその先端部を直角に曲げ、その先端を更に下方向に延出した構成になっており、その最先端が短絡可動接片３６と接触するマイナス端子接点４３になる。
【００２４】
プラス端子１４は、コ字型形状に形成した両端部を直角に起こしてプラス端子接点４４、４５となし、コ字型形状の端部を下方向に直角に曲げて外部と接続する端子４６とした構成となっている。
【００２５】
コモン端子１５は、十字状に形成した上部端が短絡用のコモン端子接点４７を形成し、図で右側の端部が逆転用のコモン端子接点４８であり、左側の端部が正転用のコモン端子接点４９を形成する。
【００２６】
正転端子１６は、帯状部材の先端側を直角方向に折り曲げ、その折り曲げた先端側が正転可動接片３９と接触する正転端子接点５１を形成し、下部側から直角方向に折り曲げて外部と接触する接触端子とする。
【００２７】
逆転端子１７は、帯状部材の上部端を折り曲げて逆転可動接片４２と接触する逆転端子接点５２を形成し、下端部側から反対側方向に折り曲げて外部と接続する接続端子とする。
【００２８】
正転回動レバー部２６は、円柱状の本体５５の両端にケース１１とカバー３２の係合穴１８、５３に係合するための軸部５６、５７を設け、側壁面に扇状に開いたストッパー片５８を設け、このストッパー片５８に連設して操作部の一辺が当り回動させるためのガイドバー５９を備え、反対側にガイドバー５９よりも長く短絡速度切替部２１のレバーガイド片２８に係合して短絡速度切替部２１を上方向に動かすためのガイドレバー６１を備えた構成になっている。
【００２９】
逆転回動レバー部２７は、正転回動レバー部２６と同じ形状をしており、互いにガイドレバー６１を短絡速度切替部２１のレバーガイド片２８の底面に当てるようにして配置されている。
【００３０】
このような構成からなるスイッチを組み立てるには、先ず、ケース１１の中央側面底部に設けたスリットに通してコモン端子１５を配置し、同じく左側側面に正転端子１６を配置し、右側側面に逆転端子１７を配置し、その配置されたコモン端子１５の前面側にスリットに係合させてプラス端子１４を配置し、最後に左側側面にマイナス端子１３を配置する。
【００３１】
次に、配置されたそれぞれの端子１３、１４、１５、１６、１７の接点上に短絡可動接片３６を有する短絡速度切替部２１を配置し、その左側に正転切替部２１を底端部を短絡速度切替部２１に係合させ、且つ復帰スプリング３３を係合させ、背後に正転可動接片３９をスプリング３８を介在させて取付ける。短絡速度切替部２１の右側には逆転切替部２３を底端部を短絡速度切替部２１に係合させ、且つ復帰スプリング３４を係合させ、背後に逆転可動接片４２をスプリング４１を介在させて取付ける。
そして、短絡速度切替部２１、正転切替部２２、逆転切替部２３の各々が配置された後に、ケース１１の上部位置に設けてある右側の係合穴１８に正転回動レバー部２６の軸部５６を係合し、左側の係合穴１９に逆転回動レバー部２７の軸部５６を係合させて取付ける。そうすると、正転回動レバー部２６のガイドレバー６１が短絡速度切替部２１のレバーガイド片２８の底辺に当て、逆転回動レバー部２７のガイドレバー６１も短絡速度切替部２１のレバーガイド片２８の底辺に当てるようにして配置する。
次に、カバー３２に基板２５を取付けケース１１に収容されている各部品の上部から被せ、このとき正転回動レバー部２６の軸部５７と逆転回動レバー部２７の軸部５７をカバー３２の係合穴５３、５４に挿通させる。
同時に、操作部３１の回動中心となる中心穴３１ａをケース１１に設けてある回動凸部４０に係合させ、及びカバー３２に設けてある回動凸部６２に係合させることで取付けは完了する。
【００３２】
次に上記の構成からなるスイッチの実施例について、図面を参照して説明する。
先ず、操作部３１に何の操作もせずに、中立の位置の場合は、図３乃至図５に示すように、操作部３１は左右どちらにも押されていない状態で、正転回動レバー部２６のガイドレバー６１を短絡速度切替部２１のレバーガイド片２８に係合させ、及び逆転回動レバー部２７のガイドレバー６１を短絡速度切替部２１のレバーガイド片２８に係合させた状態を維持する。このとき、正転切替部２２の正転可動接片３９は正転端子接点５１とプラス端子接点４４とを跨いだ状態で接続しており、逆転切替部２３の逆転可動接片４２は逆転端子接点５２とプラス端子接点４５とを跨いだ状態で接続している。そして、短絡速度切替部２１の摺動体３７は抵抗体２９ｂから外れた電極部２９ａに接続されている。
【００３３】
このような状態で、モータを正転に回転させるために操作部３１の右側を押すと、図６乃至図８に示すように、操作部３１の右側底部で逆転回動レバー部２７のガイドバー５９を下方向に押すことによりカム形状のストッパー片５８が回動して逆転切替部２５の頂部に嵌まり込み上昇を抑える。
【００３４】
同時に、逆転回動レバー部２７のガイドレバー６１が短絡速度切替部２１のレバーガイド片２８の底部から上方向に押し上げることで短絡速度切替部２１が上方向に上昇し、一緒に正転切替部２２も上昇する。そうすると、正転切替部２２の正転可動接片３９が上方向に上昇移動することにより正転端子接点５１とコモン端子接点４８を接続する。これにより、モータが正転に回転できるようになる。
【００３５】
逆転切替部２５は扇状のストッパー片５８で上昇が抑えられているため逆転可動接片４２は動かず、逆転端子接点５２とプラス端子接点４５を接続した状態を維持する。
また、短絡速度切替部２１の短絡可動接片３６は上方向への上昇に連られて上方向に動き、摺動体３７もつられて上方向に動き、基板２５の印刷抵抗の可変抵抗部である抵抗体２９ｂ上を摺動して動く。
【００３６】
これによりモータが正転に動くわけであるが、操作部３１の傾きを増加させれば、摺動体３７もつられて上方向に動くことにより可変抵抗体２９ｂ上を摺動することで回転速度の調整を行なうことができるのである。
【００３７】
更に、操作部３１を右側方向に更に押し込むと、モータの正回転が所謂フルストロークとなる。即ち、図９乃至図１１に示すように、操作部３１の右側底部で逆転回動レバー部２７のガイドバー５９を下方向に更に押すことによりカム形状のストッパー片５８が更に回動して逆転切替部２３の頂部に嵌まり込み上昇を抑えることを維持する。
同時に、逆転回動レバー部２７のガイドレバー６１が短絡速度切替部２１のレバーガイド片２８の底部から上方向に更に押し上げることで短絡速度切替部２１が上方向に上昇する。ところが、一緒に動く正転切替部２２は正転回動レバー部２６に当接することで、それ以上の上方向への移動は阻止される。従って、正転切替部２２の正転可動接片３９が正転端子接点５１とコモン端子接点４８を接続した状態を維持する。
【００３８】
そして、短絡速度切替部２１のみが上方向に動くため、短絡可動接片３６は上方向への上昇に連られて上方向に動き、短絡可動接片３６がマイナス端子接点４３とコモン端子接点４７を接続してフルストローク状態にする。
摺動体３７もつられて上方向に動き、基板２５の印刷抵抗の電極部３０、２９ｃ同士を接続する。そして、操作部２１を押し込む力を緩めると復帰スプリング３３、３４の力で中立状態に自己復帰する。これは、図４に示す位置に正転可動接片３９が戻り、モータ両端が短絡し、モータ巻線による逆起電力が流れモータの慣性力による回転を止めることができる。
【００３９】
次に、モータを逆転に回転させるためには、操作部３１の左側を押すことにより得ることができる。
【００４０】
先ず、中立な状態は、上述した図３乃至図５に示すように、操作部２１が左右のどちらにも押されていない状態であり、正転回動レバー部２６のガイドレバー６１を短絡速度切替部２１のレバーガイド片２８に係合させ、及び逆転回動レバー部２７のガイドレバー６１を短絡速度切替部２１のレバーガイド片２８に係合させた状態を維持する。このとき、正転切替部２２の正転可動接片３９は正転端子接点５１とプラス端子接点４４とを跨いだ状態で接続しており、逆転切替部２３の逆転可動接片４２は逆転端子接点５２とプラス端子接点４５とを跨いだ状態で接続している。そして、短絡速度切替部２１の摺動体３７は抵抗体２９ｂから外れた電極部２９ａに接続されている。
【００４１】
このような状態で、モータを逆転に回転させるために操作部３１の左側を押すと、図１２乃至図１４に示すように、操作部３１の左側底部で正転回動レバー部２６のガイドバー５９を下方向に押すことによりカム形状のストッパー片５８が回動して正転切替部２２の頂部に嵌まり込み上昇を抑える。
同時に、正転回動レバー部２６のガイドレバー６１が短絡速度切替部２１のレバーガイド片２８の底部から上方向に押し上げることで短絡速度切替部２１が上方向に上昇し、一緒に逆転切替部２３も上昇する。そうすると、逆転切替部２３の逆転可動接片４２が上方向に上昇移動することにより逆転端子接点５２とコモン端子接点４９を接続する。これにより、モータが逆転に回転できるようになる。
【００４２】
正転切替部２２は扇状のストッパー片５８で上昇が抑えられているため正転可動接片３９は動かず、正転端子接点５１とプラス端子接点４４を接続した状態を維持する。
また、短絡速度切替部２１の短絡可動接片３６は上方向への上昇に連られて上方向に動き、摺動体３７もつられて上方向に動き、基板２５の印刷抵抗の可変抵抗部である抵抗体２９ｂ上を摺動して動く。
【００４３】
以上のように操作部３１の左側を押すことでモータが逆転に動くわけであるが、操作部３１の押す傾きを増加させれば、摺動体３７もつられて上方向に動くことにより可変抵抗体２９ｂ上を摺動することで回転速度の調整を行なうことができるのである。
【００４４】
更に、操作部３１を左側方向に更に押し込むと、モータの逆回転が所謂フルストロークとなる。即ち、図１５乃至図１７に示すように、操作部３１の左側底部で正転回動レバー部２６のガイドバー５９を下方向に更に押すことによりカム形状のストッパー片５８が更に回動して正転切替部２２の頂部に嵌まり込み上昇を抑えることを維持する。
同時に、正転回動レバー部２６のガイドレバー６１が短絡速度切替部２１のレバーガイド片２８の底部から上方向に更に押し上げることで短絡速度切替部２１が上方向に上昇する。ところが、一緒に動く正転切替部２３は逆転回動レバー部２７に当接することで、それ以上の上方向への移動は阻止される。従って、逆転切替部２３の逆転可動接片４２が逆転端子接点５２とコモン端子接点４９を接続した状態を維持する。
そして、短絡速度切替部２１のみが上方向に動くため、短絡可動接片３６は上方向への上昇に連られて上方向に動き、短絡可動接片３６がマイナス端子接点４３とコモン端子接点４７を接続してフルストローク状態にする。
摺動体３７もつられて上方向に動き、基板２５の印刷抵抗の電極部２９ｃ、３０同士を接続する。そして、操作部２１を押し込む力を緩めると復帰スプリング３３、３４の力で中立状態に自己復帰する。これは、図４に示す位置に逆転可動接片４２が戻り、モータ両端が短絡し、モータ巻線による逆起電力が流れモータの慣性力による回転を止めることができる。
【産業上の利用可能性】
【００４５】
モータの正回転・逆回転の切り替えと、モータの回転数の調整を、ひとつの操作部で行なうことができるようにしたことで、操作性に優れ且つ使い勝ってのよいスイッチを提供する。
【符号の説明】
【００４６】
１１      ケース
１２      ガイド部
１３      マイナス端子
１４      プラス端子
１５      コモン端子
１６      正転端子
１７      逆転端子
１８      係合穴
１９      係合穴
２１      短絡速度切替部
２２      正転切替部
２３      逆転切替部
２４      印刷抵抗
２５      基板
２６      正転回動レバー部
２７      逆転回動レバー部
２８      レバーガイド片
２９ａ    電極部
２９ｂ    抵抗体
２９ｃ    電極部
３０      電極部
３１      操作部
３１ａ    中心穴
３２      カバー
３３      復帰スプリング
３４      復帰スプリング
３５      スプリング
３６      短絡可動接片
３７      摺動体
３８      スプリング
３９      正転可動接片
４０      回動凸部
４１      スプリング
４２      逆転可動接片
４３      マイナス端子接点
４４      プラス端子接点
４５      プラス端子接点
４６      端子
４７      コモン端子接点
４８      コモン端子接点
４９      コモン端子接点
５１      正転端子接点
５２      逆転端子接点
５３      係合穴
５４      係合穴
５５      円柱状の本体
５６      軸部
５７      軸部
５８      ストッパー片
５９      ガイドバー
６１      ガイドレバー
６２      回動凸部
【図１】
2012196732.tif 000003
【図２】
2012196732.tif 000004
【図３】
2012196732.tif 000005
【図４】
2012196732.tif 000006
【図５】
2012196732.tif 000007
【図６】
2012196732.tif 000008
【図７】
2012196732.tif 000009
【図８】
2012196732.tif 000010
【図９】
2012196732.tif 000011
【図１０】
2012196732.tif 000012
【図１１】
2012196732.tif 000013
【図１２】
2012196732.tif 000014
【図１３】
2012196732.tif 000015
【図１４】
2012196732.tif 000016
【図１５】
2012196732.tif 000017
【図１６】
2012196732.tif 000018
【図１７】
2012196732.tif 000019
【図１８】
2012196732.tif 000020
【図１９】
2012196732.tif 000021
【図２０】
2012196732.tif 000022
【図２１】
2012196732.tif 000023